(57)【要約】  【解決手段】少なくとも１つの電気接点と、ハウジングと、コネクタ位置保証（ＣＰＡ）部材とを有する電気コネクタである。前記ハウジングは、結合する電気コネクタに対してハウジングをラッチするためのラッチを有する。前記電気接点は、前記ハウジング内に位置される。前記ＣＰＡ部材は、前記ハウジングに接続され、さらに、そのハウジングが前記結合する電気コネクタと結合するときに、前記ラッチが移動することを防止するようになっている。前記ＣＰＡ部材は、前記ハウジングが前記結合する電気コネクタと結合した後に、前記ラッチを移動するようになっている。【選択図】図１１
2009522751.tif 000002
【特許請求の範囲】
【請求項１】
少なくとも１つの電気接点と；結合する電気コネクタにハウジングをラッチするためのラッチを有し、前記電気接点がハウジング内に位置するハウジングと；このハウジングに接続されたコネクタ位置保証（ＣＰＡ）部材であって、このＣＰＡ部材は、前記ハウジングが前記結合する電気コネクタと結合されるときに、ラッチが移動するのを防止するようになっており、さらにこのＣＰＡ部材は、前記ハウジングが前記結合する電気コネクタと結合された後に、前記ラッチを移動するようになっているＣＰＡ部材とを有する電気コネクタ。
【請求項２】
前記ＣＰＡ部材は、ロック解除位置とロック位置との間の前記ハウジングに移動可能に設置され、さらに、前記ＣＰＡ部材がロック解除位置で前記ハウジングに軸支するようになっている請求項１記載の電気コネクタ。
【請求項３】
前記ＣＰＡ部材は、前記ハウジングの溝に摺動可能に位置される横方向に延びる軸支ラグを有する請求項１記載の電気コネクタ。
【請求項４】
前記ＣＰＡ部材は、このＣＰＡ部材が前記ハウジングにおけるロック位置にあるときに、前記ラッチの部分を受入れるようになっている、内部に面するスロットを有する請求項１記載の電気コネクタ。
【請求項５】
前記ＣＰＡ部材は、前記ラッチの部分と接触するそのＣＰＡ部材の前部に位置する前部ラッチ接触面を有する請求項１記載の電気コネクタ。
【請求項６】
前記ラッチの部分は、そのラッチにおける横方向外方に延びるラグを有する請求項５記載の電気コネクタ。
【請求項７】
前記ラッチは、そのラッチにおける横方向外方に延びるラグを有する前記請求項１記載の電気コネクタ。
【請求項８】
前記ＣＰＡ部材は、前記ハウジングに軸支可能に、かつ摺動可能に接続され、さらに、前記ハウジングは、前記ＣＰＡ部材がロック位置にあるときに、そのＣＰＡ部材が軸支回転するのを防止するようになっている請求項１記載の電気コネクタ。
【請求項９】
前記ＣＰＡ部材がロック位置に位置するときに、そのＣＰＡ部材およびラッチを本質的に近づき難くするための手段を、さらに有する請求項１記載の電気コネクタ。
【請求項１０】
少なくとも１つの電気接点と；結合する電気コネクタに前記ハウジングをラッチするためのラッチを有し、前記電気接点がそのハウジング内に位置するハウジングと；前記ハウジングに接続されたコネクタ位置保証（ＣＰＡ）部材であって、そのＣＰＡ部材の中間部に近接する軸支位置におけるハウジングに関して軸支するようになっているＣＰＡ部材とを有する電気コネクタ。
【請求項１１】
前記軸支位置は、外方に延びる軸支支柱を有する請求項１０記載の電気コネクタ。
【請求項１２】
前記ＣＰＡ部材は、前記軸支支柱(pivot post)におけるハウジングに沿って摺動するようになっている請求項１１記載の電気コネクタ。
【請求項１３】
前記ＣＰＡ部材は、ロック解除位置とロック位置との間を前記ハウジングに沿って摺動するようになっている請求項１０記載の電気コネクタ。
【請求項１４】
前記ＣＰＡ部材は、前記ハウジングが前記結合する電気コネクタと結合し、かつ、前記ＣＰＡ部材が前記ロック位置に移動されるときに、前記ラッチが移動するのを防止するようになっている請求項１３記載の電気コネクタ。
【請求項１５】
前記ＣＰＡ部材は、そのＣＰＡ部材が前記ロック解除位置にあるときに、前記ラッチをラッチ解除位置に移動するようになっている請求項１３記載の電気コネクタ。
【請求項１６】
前記ＣＰＡ部材は、ロック解除位置で前記ハウジングにおいて軸支するようになっており、さらに、前記ハウジングは、前記ＣＰＡ部材が前記ロック位置で軸支回転するのを防止するようになっている請求項１３記載の電気コネクタ。
【請求項１７】
前記ＣＰＡ部材は、そのＣＰＡ部材が前記ハウジングにおけるロック位置にあるときに、前記ラッチの部分を受入れるようになっている、内部に面するスロットを有する請求項１３記載の電気コネクタ。
【請求項１８】
前記ＣＰＡ部材は、そのラッチの部分と接触する前記ＣＰＡ部材の前部に位置する前部ラッチ接触面を有する請求項１３記載の電気コネクタ。
【請求項１９】
前記ラッチの部分は、そのラッチにおける横方向外方に延びるラグを有する請求項１８記載の電気コネクタ。
【請求項２０】
前記ラッチは、そのラッチにおける横方向外方に延びるカンチレバー式のラグを有する請求項１０記載の電気コネクタ。
【請求項２１】
少なくとも１つの電気接点と；結合する電気コネクタにハウジングをラッチするためのラッチを有するハウジングであって、前記電気接点はそのハウジング内に位置し、さらに、そのラッチは前記ラッチの対向する横方向側から延びるカンチレバー式のラグを有するハウジングと；前記ハウジングに接続されたコネクタ位置保証（ＣＰＡ）部材であって、このＣＰＡ部材は前記ラッチのラグと接触するＣＰＡ部材とを有する電気コネクタ。
【請求項２２】
前記ＣＰＡ部材は、そのＣＰＡ部材が前記ラッチが前記ＣＰＡ部材に関して移動するのを防止するためにロック位置にあるときに、ロックするように（lockingly）前記ラグを受入れる溝を有する請求項２１記載の電気コネクタ。
【請求項２３】
前記溝の前部は、前記ＣＰＡ部材がロック解除位置にあるときに前記ラッチはＣＰＡ部材に関して上方に移動することができ、さらに、前記ＣＰＡ部材が前記閉塞した底部側で前記ラグを上方に移動することによって前記ラッチを上方に移動することができるように、開放頂部側および閉塞底部側を有する請求項２２記載の電気コネクタ。
【請求項２４】
少なくとも１つの電気接点と；結合する電気コネクタにハウジングをラッチするためのラッチを有するハウジングであって、前記電気接点がそのハウジング内に位置するハウジングと；このハウジングに接続されたコネクタ位置保証（ＣＰＡ）部材であって、前記結合する電気コネクタから前記ラッチを分離するために前記ラッチを偏位するようになっているＣＰＡ部材とを有する電気コネクタ。
【請求項２５】
コネクタ位置保証（ＣＰＡ）部材を電気コネクタのハウジングに挿入することと；このハウジングの溝内に前記ＣＰＡ部材の横方向に延びる軸支ラグを位置することと；前記ＣＰＡ部材の対向する接触面における前記ハウジングのラッチの横方向に延びる接続ラグを位置することとを有する、電気コネクタを組立てる方法。
【発明の詳細な説明】
【技術分野】
【０００１】
この発明は、電気コネクタに係り、より特別にはラッチおよびコネクタ位置保証部材を有する電気コネクタに関する。
【背景技術】
【０００２】
米国特許第６，９２１，２７９Ｂ２号は、コネクタ位置保証（ＣＰＡ）部材を有する電気コネクタを開示している。このコネクタは、偏位可能な（ｄｅｆｅｃｔａｂｌｙ）ラッチを備えたハウジングを有している。このラッチは、後部の指接触セクションと、前部のカンチレバーアームとを有しており、接続セクションでそのハウジングにおいて軸支（ｐｉｖｏｔ）するようになっている。このＣＰＡ部材は、そのハウジングに沿って摺動するようにされている。米国特許第６，７１６，０５２Ｂ２号は、他のタイプのＣＰＡ装置を開示している。
【発明の開示】
【０００３】
結合するコネクタラッチとＣＰＡ部材とを有する電気コネクタの全体寸法を減少する要望がある。さらに、電気コネクタの寸法を増加することなく、ＣＰＡ部材における、より人間工学的な動作面を備えるという要望がある。
【０００４】
この発明の一態様に従って、電気コネクタは、少なくとも１つの電気接点と、ハウジングと、コネクタ位置保証（ＣＰＡ）部材とを有して提供される。このハウジングは、結合する電気コネクタにそのハウジングをラッチするためのラッチを有する。その電気接点は、ハウジング内に位置する。そのＣＰＡ部材は、このハウジングに移動可能に接続される。このハウジングが、その結合する電気コネクタと結合されるときは、一位置において、ＣＰＡ部材が、そのラッチが移動するのを防止するようになっている。他の位置において、そのＣＰＡ部材は、そのハウジングが、ラッチ解除位置（ｕｎｌａｔｃｈｅｄ）に向ってラッチ位置から離れて、その結合する電気コネクタと結合した後、そのラッチを移動するようになっている。
【０００５】
この発明の他の態様に従って、電気コネクタは、少なくとも１つの電気接点と、ハウジングと、コネクタ位置保証（ＣＰＡ）部材とを有して提供される。このハウジングは、結合する電気コネクタにハウジングをラッチするためのラッチを有する。このＣＰＡ部材は、そのハウジングに接続され、軸支位置でハウジングに関して軸支回転（ｐｉｖｏｔ）するように、または、そのＣＰＡ部材の中間部近傍で、ＣＰＡ部材の横方向側部の軸支においてハウジングに回転するようになっている。
【０００６】
この発明の他の態様に従って、電気コネクタは、少なくとも１つの電気接点と、ハウジングと、このハウジングに接続されたコネクタ位置保証（ＣＰＡ）部材とを有して提供される。このハウジングは、結合する電気コネクタにハウジングをラッチするためのラッチを有する。このラッチは、ラッチの対向する横方向の側部から延びるカンチレバー式のラグを有する。このＣＰＡ部材は、ハウジングに接続され、かつ、ラッチのラグと接触する。
【０００７】
この発明の別の態様に従って、電気コネクタは、少なくとも１つの電気接点と、ハウジングと、コネクタ位置保証（ＣＰＡ）部材とを有して提供される。このハウジングは、結合する電気コネクタをラッチするためのラッチを有する。
【０００８】
ＣＰＡ部材は、ハウジングに接続され、さらに、結合する電気コネクタからラッチを分離するためにそのラッチを偏位するようになっている。
【０００９】
この発明の一方法に従って、電気コネクタを組立てる方法は、コネクタ位置保証（ＣＰＡ）部材を電気コネクタのハウジングに挿入することと、そのハウジングの溝内にＣＰＡ部材の横方向に延びる軸支ラグを位置することと、そのＣＰＡ部材の対向する接触面でハウジングのラッチの横方向に延びる接続部を位置することとを有して提供される。この溝の前部は、ＣＰＡ部材がラッチ解除位置にあるときには、そのラッチがＣＰＡ部材に関して上方に移動することができ、また、ＣＰＡ部材は、その閉塞底部側でラグを上方に移動することによってラッチを上方に移動することができるように、開放頂部側および閉塞底部側を有することができる。
【００１０】
この発明の前述の態様およびその他の特徴は、添付の図面に関して採られる以下の記述の中で説明される。
【発明を実施するための最良の形態】
【００１１】
図１を参照して、相互に結合するようにされる２つの従来の電気コネクタ１０、１２の斜視図が示されている。この２つの電気コネクタ１０、１２は、ＦＣＩアメリカ社によって製造されたＡＰＥＸ電気コネクタを有する。雌型電気コネクタ１０は、ハウジング１４と、雌型電気接点１６と、コネクタ位置保証（ＣＰＡ）部材１８とを有する。このハウジング１４は、雄型電気コネクタのハウジング２２におけるラッチ２０によってラッチするためのスナップロックのラッチを有する。この２つのコネクタ１０、１２は、電線２４、２６が、相互に移動可能に接続されることを可能にする。
【００１２】
今度は図２を参照して、この発明の電気コネクタは、ＣＰＡ部材を除いて、図１に示される雌型電気コネクタ１０と同一であり、さらに、下記に述べるように、ＣＰＡ部材でのハウジングの部分は、ハウジングラッチを有する。この発明は、図面に示される代表的な実施例に関して記述されるが、この発明が、多くの交互の形態の実施例に具体化することができることは理解されるに違いない。さらには、あらゆる適切な寸法や、形状や、タイプの部品や材料を使用することができる。
【００１３】
特別に図２−４を参照して、ハウジング１４’は、スナップロックのラッチ２８およびラッチのカバーセクション３０を有する。このハウジング１４’は、好ましくは、成型プラスチックまたは高分子材料で作られた一体の部材である。しかしながら、他の実施例においては、そのハウジングは、多数の部材や異なる材料で構成することができる。ラッチ２８は、通常のカンチレバー方式で前方に突出する部材を有する。この部材は、２つのアーム３２と、ブリッジ３４と、２つのラグ３６を有する。間隙または受入領域３８が、この２つのアーム３２の間に形成される。ブリッジ３４は、アーム３２の前部端部に位置し、さらに領域３８に隣接してラッチロック面４０を形成する。ラグ３６は、アーム３２から反対方向に横方向外方に延びる。
【００１４】
ラッチカバーセクション３０は、ラッチ２８が外方に弾力的に偏位することができるように、ラッチ２８からわずかに間隔を置かれる。このラッチカバーセクション３０は、通常、側方チャンネル、または溝４２と、この溝４２の後端部おける後部ストップにおける後部ストップ面４４と、移動してくるＣＰＡ部材１９の指接触セクションのための頂部後部開口４６とを有する。溝４２の前部端部において、ハウジング１４’は、カバーセクション３０の頂部側において内方のストップ面４８を有する。
【００１５】
今度はさらに図５および６を参照して、ＣＰＡ部材１９は、好ましくは、成型プラスチックまたは高分子重合体で構成された一体部材で構成される。しかしながら、他の実施例において、ＣＰＡ部材は、多数の部材および異なる材料で構成することができる。そのＣＰＡ部材１９は、通常、後部指接触セクション５０と、２つのサイドアーム５２と、センターアーム５４とを有する。図２において見られるように、後部指接触セクション５０は、ハウジング１４’の頂部後部開口４６に位置するようになっている。
【００１６】
２つのサイドアーム５２は、通常のカンチレバー方式で、後部指接触セクション５０から前方に延びる。そのアーム５２の外部の横方向側部は、それぞれラグ５６を有する。このラグ５６は、ハウジング１４’の溝４２の中で摺動し、かつ回転するために、寸法採りされ、形づくられる。アーム５２の内方側は、それぞれ、溝５８を有する。この溝５８は、その中にラッチ２８のラグ３６を摺動可能に受入れるために、寸法採りされ、形づくられる。溝５８の前部は、開放頂部側部６０と閉塞底部側部６２とを有する。さらに下に述べるように、その溝の前部は開放頂部側部６０と閉塞底部側部６２とを有するので、ＣＰＡ部材がロック解除位置にあるときに、ラッチ２８は、ＣＰＡ部材１９に関して上方に移動することができ、さらにこのＣＰＡ部材は、その閉塞底部側部でラグ３６を上方に移動することによってラッチを上方に移動することができる。
【００１７】
センターアーム５４は、さらに、通常のカンチレバー方式で後部指接触セクション５０から前方に延びている。このセンターアーム５４は、前部ストップ面６６と後部捕捉面６８とを備えた前部ヘッド６４を有する。センターアーム５４は、弾性的に偏位可能である。このヘッド６４は、ブリッジ３４の後部ロック面４０に対して前部ストップ面６６を備えたラッチ２８の領域３８内にぴったりであるように、寸法採りされ、形づくられる。
【００１８】
図２に近似する図７は、後部の中立、またはロック解除位置でハウジング１４’に接続されたＣＰＡ部材１９を示している。この位置においては、指接触セクション５０は、後部位置にある。ラッチ２８のアーム３２は、ＣＰＡ部材１９のアーム５２、５４間の領域に位置される。このＣＰＡ部材のセンターアーム５４のヘッド６４は、ラッチ２８の領域３８内に位置される。表面６６、４０間の接触は、ＣＰＡ部材がハウジング１４’において前方に移動することを防止する。ラグ５６の後部と表面４４との間の接触は、ＣＰＡ部材がハウジング１４’において後方に移動するのを防止する。このＣＰＡ部材１９のラグ５６は、溝４２の後部に位置する。ラッチ２８のラグ３６は、ＣＰＡ部材の溝５８の前部に位置する。
【００１９】
今度は図８および９を参照して、ＣＰＡ部材１９は、ハウジング１４’における前方ロック位置で示されている。表面４０、５４間の接触のために、もし雌型電気コネクタが、雄型電気コネクタ１２に最初に接続されなければ、ＣＰＡ部材１９は、後部のロック解除位置からその前部のロック位置に移動されることを防止する。より具体的には、雄型の電気コネクタ１２のハウジング２２におけるラッチ２０は、このラッチが、表面４０の後ろの領域３８内にスナップするときに、ヘッド６４を外方上方に押すようになっている。このことは、
ＣＰＡ部材がユーザーによって前方に押されながら、ラッチ２８のブリッジ３４を過ぎて、センターアーム５４がユーザーによって前方に押されることを可能にする。ＣＰＡ部材１９が前方ロック位置に達するときに、ヘッド６４は、ブリッジ３４の前にぱちんと嵌ることができる。表面６８は、その後、ブリッジ３４の前部との接触のために、そのＣＰＡ部材が、再度不注意に後方に移動されるのを防止することができる。
【００２０】
ＣＰＡ部材１９が、ハウジング１４’において前方に移動されるときに、そのＣＰＡ部材１９のラグ５６は、ハウジング１４’の溝４２内において長手方向に摺動することができる。ＣＰＡ部材１９は、さらに、ラッチ２８のラグ３６に沿って溝５８と長手方向に摺動することができる。前方のロック位置では、ＣＰＡ部材１９における溝５８の後端部の閉塞頂部と底部側部とは、ラッチ２８がハウジングの残りに関して外方上方に移動することを防止する。したがって、ラッチ２８は、雄型の電気コネクタ１２のラッチ２０から不注意に解除することを防止する。
【００２１】
相互から２つの電気コネクタを分離するために、ＣＰＡ部材１９は、その前方のロック位置からその後部のロック解除位置に最初に移動されなければならない。ヘッド５４は、ブリッジ３４の前部面から表面６８を離して移動するために外方に移動される。表面６８は、指接触セクション５０が強制的に後方に移動されながら、ブリッジ３４の前部面から離れて表面６８をくさび止めするようになっている。ＣＰＡ部材１９がその後方のロック解除位置に到着した後、ラッチ２８は、なお、結合する電気コネクタ１２におけるラッチ２０から分離される必要がある。この実施例において、ＣＰＡ部材１９は、この機能を達成するようになっている。
【００２２】
上記に注意したように、ＣＰＡラグ５６は、溝４２内に摺動可能に位置される。このＣＰＡラグ５６は、ＣＰＡ部材がその後方のロック解除位置にあるときに、そのＣＰＡ部材が、溝４２内に軸支回転するか、または回転することを可能にするように、寸法採りされ、形づくられる。さらに、特に、図１０、１１を参照して、ＣＰＡ部材１９は、通常、ラッチ２８によって図１０に示される前部下方位置に、そして、ラッチラグ５６は、ＣＰＡ部材の溝５８内において底部側部６２に接触して、保持される。しかしながら、図１１に関して見られるように、ＣＰＡ部材が、後部のロック解除位置にあるときに、ユーザーは、ＣＰＡ部材を回転するか、または軸支回転するように、指接触セクション５０で下方に押すことができる。ＣＰＡ部材の前部端部は、外方上方に回転することができる。ＣＰＡ部材の溝５８内の底部側部６２に対するラッチラグ５６間の接触のために、そのＣＰＡ部材は、ラッチラグ５６を外方上方に移動することができ、したがって、ブリッジ３４とロック表面４０とを外方上方に移動することができる。このことは、２つの電気コネクタが、相互に分離されることを可能にするために、ラッチ２０からロック表面４０を解除する。
【００２３】
この発明によって、ＣＰＡ部材は、２つの機能を行なうことができる。その前方ロック位置においては、ＣＰＡ部材は、ラッチ２８がその結合する電気コネクタのラッチ２０から不注意に解除しないことを保証するために、ＣＰＡとして機能することができる。その後方のロック解除位置においては、ＣＰＡ部材は、相互から電気コネクタを分離するためのラッチ解除位置にラッチ２８を移動するために、ラッチリリースとして機能することができる。
【００２４】
さらに図１２、１３を参照して、この発明によって、電気コネクタ１０’は、指接触セクション５０におけるより大きな、より人間工学的な動作表面を有することができるが、従来の電気コネクタ１０より小さな外形寸法を有することができる。ＣＰＡ部材は、ラッチを、開放および閉塞位置に、偏位することができる。このＣＰＡ部材は、２つの位置の間に摺動可能であることができ、さらに、その第２位置で回転可能である。ＣＰＡサイドアームの前部のＬ形端部は、ラッチの前部端部を上方に偏位するためにそのラッチにおけるラグを持上げることができる。このことは、コネクタをロック解除することができる。ＣＰＡ部材が、完全に引込まれるが押下げられないときは、そのラッチは、それがその結合する電気コネクタと結合することができるように、自由である。そのラッチの前部端部は、ＣＰＡ部材を偏位することなく、結合する電気コネクタのラッチによって外方に偏位することができる。ＣＰＡ部材が、完全に前方に移動されるときは、そのＣＰＡ部材は、結合された位置におけるラッチを偏位することができる。したがって、ＣＰＡ部材は、多機能のＣＰＡ（ＭＦＣＰＡ）である。
【００２５】
この発明によって、ハウジング１４’における溝４２は、ＭＦＣＰＡのための摺動する案内部および回転軸支支持を提供する。ストップ面４４を備えた後バックストップは、ハウジング１４’の背部を介してＭＦＣＰＡの移動（removal）を防止する。ラッチの側部におけるラグは、ＭＦＣＰＡと相互に作用し、さらに、溝４２の前部端部におけるハウジング１４’のストップ４８は、ＭＦＣＰＡが前方のロック位置において回転するのを防止する。もしそのセンターアームが、結合する電気コネクタのラッチによって最初に移動されなければ、ＭＦＣＰＡは、そのロック位置に対して前方に押されることができない。
【００２６】
このＭＦＣＰＡがその前方位置にあるときに、ＭＦＣＰＡのサイドアームは、ＣＰＡ溝におけるラッチラグの位置のために、ラッチのアームを補強する。ＣＰＡラグは、ラッチを外方に移動するときに、機械的拡大率用の支点として機能することができる。このＣＰＡ部材の指接触セクションにおける後部リップは、ＣＰＡ部材がそのロック位置から引き戻されることを可能にする。この指接触面５０の大きな人間工学的な動作面は、ＭＦＣＰＡを始動させることを比較的に容易にする。
【００２７】
ＭＦＣＰＡが、その前方のロック位置にあるときに、このＭＦＣＰＡのセンターアームは、ブリッジの頂部におけるセンターアームの位置、およびＭＦＣＰＡを備えたラッチの連結のために、ラッチが撓むのを防止する。ＭＦＣＰＡが、前方のロック位置にあるときに、指接触セクションでのＭＦＣＰＡの動作面は、ハウジング１４’のカバーセクション３０によって近づき難くされるが、ＣＰＡのリップは、ユーザーのために、ＭＦＣＰＡをそのロック解除位置の中立に引き戻すように露出される。ＭＦＣＰＡとラッチとの両方とも、いかなる単線図示もなしに、容易に成型することができる。両方の部品とも、せぎりのライン金型を使用して成形することができる。したがって、その製造機械にはスライドまたはリフターのような複雑なメカニズムは、要求されない。
【００２８】
ＭＦＣＰＡに対して分離動作面を移動することは、ラッチ２８が強化のために設計されることを可能にする。米国特許第６，９２１，２７９号におけるように、シーソー運動のために設計される必要はない。ＭＦＣＰＡが、そのロック位置に移動された後、分離動作面はよく保護される。この発明は、シールされた、またはシールされていないコネクタの適用（application)とともに使用することができる。ＣＰＡおよびラッチは、そのＣＰＡがロック位置に向って前方に摺動され、さらにＣＰＡがその前方の位置で回転することができないときに、それらが本質的に近づき難いという事実によって、不注意な切断から保護される。
【００２９】
先の記述が、この発明の単に例証であることが理解されるに違いない。その技術に熟練している人々は、この発明から逸脱することなく、様々な代案および修正を考案することができる。したがって、この発明は、付加された請求項の範囲以内にあるような代案、修正および変更をすべて包含するように意図される。
【図面の簡単な説明】
【００３０】
【図１】従来の結合する雄雌電気コネクタの斜視図である。
【図２】この発明の特徴を具体化する電気コネクタの部分の斜視図である。
【図３】図２に示される電気コネクタハウジングの部分の斜視図である。
【図４】図３に示される電気コネクタハウジングの部分の逆方向からの斜視である。
【図５】図２に示されるＣＰＡ部材の正面、上面、および側面の斜視図である。
【図６】図５に示されるＣＰＡ部材の正面、底面、および側面の斜視図である。
【図７】中立またはロック解除位置でハウジングに接続されたＣＰＡ部材を示す図４におけるような斜視図である。
【図８】前方のロック位置に移動されたＣＰＡ部材を備えた図２におけるような頂部側斜視図である。
【図９】図８に示されるハウジングのＣＰＡ部材および部分の底部側斜視図である。
【図１０】中立のロック解除位置でＣＰＡ部材を示す例証の側面図である。
【図１１】ラッチ解除に回転したＣＰＡ部材を示す図１０におけるような例証の側面図である。
【図１２】図１に示される雌の電気コネクタの前部側面図である。
【図１３】この発明の雌の電気コネクタの前部側面図である。
【図１】
2009522751.tif 000003
【図２】
2009522751.tif 000004
【図３】
2009522751.tif 000005
【図４】
2009522751.tif 000006
【図５】
2009522751.tif 000007
【図６】
2009522751.tif 000008
【図７】
2009522751.tif 000009
【図８】
2009522751.tif 000010
【図９】
2009522751.tif 000011
【図１０】
2009522751.tif 000012
【図１１】
2009522751.tif 000013
【図１２】
2009522751.tif 000014
【図１３】
2009522751.tif 000015
【国際調査報告】
2009522751.tif 000016
2009522751.tif 000017